(57)【要約】【課題】外部装置の無線通信機能がオフに設定された後、ユーザが改めて設定操作を行うことなく、無線通信が利用可能となる技術を実現する。【解決手段】通信装置は、外部装置と無線通信が可能な無線通信手段と、前記無線通信手段による無線通信が可能な第１の状態と、無線通信が停止される第２の状態の少なくともいずれかに設定が可能な設定手段と、制御手段と、を有し、前記無線通信手段による無線通信が可能に接続されている外部装置が前記第１の状態から前記第２の状態へ移行する通知を受信した場合、前記制御手段は所定の時間、前記第２の状態に移行することなく前記外部装置から送信される所定の信号の受信を待機し、前記外部装置から前記所定の時間内に前記所定の信号を受信した場合、前記制御手段は前記第１の状態を維持し、前記所定の時間内に前記所定の信号を受信しなかった場合、前記制御手段は前記第２の状態に移行するように制御する。【選択図】図５
2018098681.tif 000002
【特許請求の範囲】
【請求項１】
外部装置と無線通信が可能な無線通信手段と、
前記無線通信手段による無線通信が可能な第１の状態と、無線通信が停止される第２の状態の少なくともいずれかに設定が可能な設定手段と、
制御手段と、を有し、
前記無線通信手段による無線通信が可能に接続されている外部装置が前記第１の状態から前記第２の状態へ移行する通知を受信した場合、前記制御手段は所定の時間、前記第２の状態に移行することなく前記外部装置から送信される所定の信号の受信を待機し、
前記外部装置から前記所定の時間内に前記所定の信号を受信した場合、前記制御手段は前記第１の状態を維持し、
前記所定の時間内に前記所定の信号を受信しなかった場合、前記制御手段は前記第２の状態に移行するように制御することを特徴とする通信装置。
【請求項２】
前記無線通信手段は、低速な通信モードと、高速な通信モードとを有し、
前記制御手段は、前記外部装置と前記低速な通信モードでの接続中に前記制御を行うことを特徴とする請求項１に記載の通信装置。
【請求項３】
前記制御手段は、前記第１の状態において、前記無線通信手段により前記外部装置の無線通信手段の状態を取得する場合には前記低速な通信モードにより通信を行い、
前記外部装置と所定のデータ通信を行う場合には前記高速な通信モードにより通信を行うことを特徴とする請求項２に記載の通信装置。
【請求項４】
前記無線通信手段は、前記低速な通信モードと前記高速な通信モードとを有する第１の無線通信手段と、前記第１の無線通信手段よりも高速な通信が可能な第２の無線通信手段とを含み、
前記第２の状態は、前記第１の無線通信手段と前記第２の無線通信手段のいずれによる無線通信も停止された状態と、前記第１の無線通信手段による無線通信が可能な状態と、前記第２の無線通信手段による無線通信が可能な状態とを含むことを特徴とする請求項２または３に記載の通信装置。
【請求項５】
前記制御手段は、前記第２の状態に移行した後に、
前記第２の無線通信手段による通信が可能な状態であった場合は、当該第２の無線通信手段により前記所定のデータ通信を行い、
前記第２の無線通信手段による通信が不可の状態であった場合は、前記第１の無線通信手段の高速な通信モードにより前記所定のデータ通信を行うことを特徴とする請求項４に記載の通信装置。
【請求項６】
前記所定のデータ通信は、画像データのデータ通信を含むことを特徴とする請求項４または５に記載の通信装置。
【請求項７】
前記第１の無線通信手段は近距離無線通信であり、
前記第２の無線通信手段は無線ＬＡＮであることを特徴とする請求項４から６のいずれか１項に記載の通信装置。
【請求項８】
前記第１の無線通信手段がＢｌｕｅｔｏｏｔｈ（登録商標）である場合は、
前記低速な通信モードはＢｌｕｅｔｏｏｔｈ（登録商標） Ｌｏｗ Ｅｎｅｒｇｙであり、
前記高速な通信モードはＣｌａｓｓｉｃ Ｂｌｕｅｔｏｏｔｈ（登録商標）であることを特徴とする請求項４から７のいずれか１項に記載の通信装置。
【請求項９】
前記第２の状態は、前記通信装置の無線通信機能が一括して停止される機内モードがオンに設定された状態であり、
前記第１の状態は、少なくとも前記機内モードがオフに設定された状態であることを特徴とする請求項１から８のいずれか１項に記載の通信装置。
【請求項１０】
外部装置と無線通信が可能な無線通信手段と、
前記無線通信手段による無線通信が可能な第１の状態と、無線通信が停止される第２の状態の少なくともいずれかに設定が可能な設定手段と、を有する通信装置の制御方法であって、
前記無線通信手段による無線通信が可能に接続されている外部装置が前記第１の状態から前記第２の状態へ移行する通知を受信した場合、所定の時間、前記第２の状態に移行することなく前記外部装置から送信される所定の信号の受信を待機し、
前記外部装置から前記所定の時間内に前記所定の信号を受信した場合、前記第１の状態を維持し、
前記所定の時間内に前記所定の信号を受信しなかった場合、前記第２の状態に移行するように制御することを特徴とする通信装置の制御方法。
【請求項１１】
請求項１ないし９のいずれか１項に記載の通信装置の各手段として通信装置のコンピュータを機能させるためのプログラム。
【請求項１２】
請求項１ないし９のいずれか１項に記載の通信装置の各手段として通信装置のコンピュータを機能させるためのプログラムを記憶したコンピュータによる読み取りが可能な記憶媒体。
【発明の詳細な説明】
【技術分野】
【０００１】
本発明は、無線通信を制御する技術に関する。
【背景技術】
【０００２】
スマートフォンやタブレットなどの通信装置は、無線通信が行われない、機内モード、フライトモード、オフラインモードなどと呼ばれるモードの設定が可能である。このような通信装置が航空機内など無線通信が禁止されている領域に移動した場合、ユーザが手動で機内モードに設定するなどして無線通信を行わないようにしている。
【０００３】
一方、近年ではウェアラブルデバイスやデジタルカメラなどの外部装置にも無線通信機能が搭載されており、上記スマートフォンやタブレットなどの通信装置とＢｌｕｅｔｏｏｔｈ（登録商標）などの無線通信方式で常時接続されるユースケースが増えている。このようなユースケースでは、ユーザが手動で通信装置を機内モードに設定すると、それに連動して外部装置も機内モードに設定されることがある（特許文献１、２参照）。
【先行技術文献】
【特許文献】
【０００４】
【特許文献１】特開２００９−１６４７８３号公報
【特許文献２】特開２０１６−０１９１６０号公報
【発明の概要】
【発明が解決しようとする課題】
【０００５】
しかしながら、上記特許文献１、２では、無線通信が許可されている航空機内などで、一旦通信装置を機内モードに設定した後に、無線通信が可能な状況になり機内モードを解除した場合には、通信装置は無線通信が可能となる。しかし、外部装置は通信装置側で機内モードが解除されたことを認識できないため、ユーザは手動で外部装置の機内モードを解除する操作を行う必要がある。
【０００６】
本発明は、上記課題に鑑みてなされ、その目的は、外部装置の無線通信機能がオフに設定された後、ユーザが改めて設定操作を行うことなく、無線通信が利用可能となる技術を実現することである。
【課題を解決するための手段】
【０００７】
上記課題を解決し、目的を達成するために、本発明の通信装置は、外部装置と無線通信が可能な無線通信手段と、前記無線通信手段による無線通信が可能な第１の状態と、無線通信が停止される第２の状態の少なくともいずれかに設定が可能な設定手段と、制御手段と、を有し、前記無線通信手段による無線通信が可能に接続されている外部装置が前記第１の状態から前記第２の状態へ移行する通知を受信した場合、前記制御手段は所定の時間、前記第２の状態に移行することなく前記外部装置から送信される所定の信号の受信を待機し、前記外部装置から前記所定の時間内に前記所定の信号を受信した場合、前記制御手段は前記第１の状態を維持し、前記所定の時間内に前記所定の信号を受信しなかった場合、前記制御手段は前記第２の状態に移行するように制御する。
【発明の効果】
【０００８】
本発明によれば、外部装置の無線通信機能がオフに設定された後、ユーザが改めて設定操作を行うことなく、無線通信が利用可能となる。
【図面の簡単な説明】
【０００９】
【図１】本実施形態のデジタルカメラとスマートフォンからなるシステム構成図。
【図２】本実施形態のデジタルカメラの外観図およびＧＵＩの説明図。
【図３】本実施形態のスマートフォンの外観図。
【図４】本実施形態のスマートフォンのＧＵＩを例示する図。
【図５】本実施形態のデジタルカメラの動作を示すフローチャート。
【図６】本実施形態のスマートフォンの動作を示すフローチャート。
【図７】本実施形態のスマートフォンのＧＵＩを例示する図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１１】
本実施形態では、無線ＬＡＮ（Ｌｏｃａｌ Ａｒｅａ Ｎｅｔｗｏｒｋ）機能とＢｌｕｅｔｏｏｔｈ（登録商標）などの近距離無線通信機能とを備えた通信装置としてのデジタルカメラと外部装置としてのスマートフォンが無線通信を行うシステムについて説明する。なお、本実施形態の通信装置はデジタルカメラに限らず、例えば、タブレットデバイス、メディアプレーヤ、監視カメラ、医療機器などであってもよい。また、本実施形態の外部装置は携帯電話の一種であるスマートフォンに限らず、例えば、携帯型機器としての、腕時計型端末、メガネ型端末、無線通信機能付きのデジタルカメラ、タブレットデバイス、パーソナルコンピュータなどであってもよい。
【００１２】
＜デジタルカメラの構成＞まず、図１を参照して、本実施形態のデジタルカメラとスマートフォンの構成および機能の概略について説明する。
【００１３】
図１は、本実施形態のシステムを構成するデジタルカメラとスマートフォンの内部構成を示している。
【００１４】
先ず、図１（ａ）を用いて、本実施形態のデジタルカメラＡ１００の構成および機能について説明する。
【００１５】
制御部Ａ１０１は、デジタルカメラＡ１００の全体を統括して制御する演算処理装置（ＣＰＵ）であって、後述する不揮発性メモリＡ１０３に格納されたプログラムを実行することで、後述する通信処理および制御処理を実現する。なお、制御部Ａ１０１が装置全体を制御する代わりに、複数のハードウェアが処理を分担することで、装置全体を制御してもよい。これは以下に説明するデジタルカメラおよびスマートフォンの他のハードウェアについても同様であり、複数のハードウェアが処理を分担する構成としてよい。
【００１６】
撮像部Ａ１０２は、ズームレンズやフォーカスレンズを含むレンズ群、絞り機能を備えるシャッターを含む。また、撮像部Ａ１０２は、被写体像を電気信号に変換するＣＣＤやＣＭＯＳ素子等で構成される撮像素子、撮像素子から出力されるアナログ画像信号をデジタル信号に変換するＡ／Ｄ変換器を有する。撮像部Ａ１０２は、制御部Ａ１０１の制御により、撮像部Ａ１０２に含まれるレンズにより結像された被写体像光を、撮像素子により電気信号に変換し、ノイズ低減処理などを行って、デジタル信号からなる画像データを出力する。
【００１７】
制御部Ａ１０１は、撮像部Ａ１０２により撮像された画像データに対し、画素補間、縮小といったリサイズ処理や色変換処理を行う。また、制御部Ａ１０１は、上記処理を施した静止画データをＪＰＥＧ等により圧縮符号化したり、動画データをＭＰＥＧ２やＨ．２６４等の動画圧縮方式でエンコードして画像ファイルを生成し、記録媒体Ａ１１０に記録する。本実施形態のデジタルカメラＡ１００では、画像データはＤＣＦ（Ｄｅｓｉｇｎ  Ｒｕｌｅ  ｆｏｒ  Ｃａｍｅｒａ  Ｆｉｌｅ  ｓｙｓｔｅｍ）規格に従って、記録媒体Ａ１１０に記録される。また、制御部Ａ１０１は、撮像した画像データを用いて所定の演算処理を行い、得られた演算結果に基づき制御部Ａ１０１が撮像部Ａ１０２のフォーカスレンズや絞り、シャッターを制御することで、ＡＦ（オートフォーカス）処理やＡＥ（自動露出）処理を行う。
【００１８】
不揮発性メモリＡ１０３は、電気的に消去・記録可能なメモリであり、例えばＥＥＰＲＯＭ等が用いられる。不揮発性メモリＡ１０３には、制御部Ａ１０１の動作用の定数、プログラム等が記録される。ここでいう、プログラムとは、本実施形態にて後述する通信シーケンスや制御シーケンスを実行するためのプログラムのことである。
【００１９】
作業用メモリＡ１０４は、制御部Ａ１０１の動作用の定数、変数、不揮発性メモリＡ１０３から読み出したプログラム等を展開する作業領域として使用される。また、作業用メモリＡ１０４は、撮像部Ａ１０２で撮像された画像データを一時的に保持するバッファメモリや、表示部Ａ１０６の画像表示用メモリとして使用される。
【００２０】
操作部Ａ１０５は、ユーザからの各種操作を受け付ける各種スイッチ、ボタン、タッチパネル等の操作部材からなる。例えば図２（ａ）、（ｂ）に示すように、操作部Ａ１０５は、電源ボタン２０１、シャッターボタン２０２、ズームレバー２０３、メニューボタン２０４、再生ボタン２０５、削除ボタン２０６、無線ボタン２０７、十字キー２０８などの操作部材を含む。また、後述する表示部Ａ１０６の表示パネルと一体構成されるタッチパネルも操作部Ａ１０５に含まれる。
【００２１】
表示部Ａ１０６は、撮影時のビューファインダー画像の表示、撮影した画像の表示、対話的な操作のための文字表示等を行う。表示部Ａ１０６は、例えば、液晶ディスプレイ、有機ＥＬディスプレイ等の表示デバイスである。表示部Ａ１０６は、デジタルカメラＡ１００と一体化された構成であっても、デジタルカメラＡ１００に接続された外部装置であってもよい。デジタルカメラＡ１００は、表示部Ａ１０６と接続することができ、表示部Ａ１０６の表示を制御する機能を有していればよい。
【００２２】
電源管理部Ａ１０７は、電源ボタン２０１からの操作信号に応じて、デジタルカメラＡ１００への電力供給を制御する。電源管理部Ａ１０７は、デジタルカメラＡ１００の全体に電力供給を行うほか、後述する副制御部Ａ１２０と省電力無線通信部Ａ１１２に限定して電力供給を行うことができる。本実施形態では、この電力供給レベルに応じて、以下の３つの起動状態をとる。電源管理部Ａ１０７がカメラ全体に電力供給を行っている状態（電源ＯＮ状態）、副制御部Ａ１２０と省電力無線通信部Ａ１１２に限定して電力供給を行っている状態（スタンバイ状態）、カメラへの電力供給が停止されている状態（電源ＯＦＦ状態）である。スタンバイ状態は、デジタルカメラＡ１００は消費電力が極めて低い状態である。
【００２３】
記録媒体Ａ１１０は、撮像部Ａ１０２から出力された画像データが記録されたり、制御部Ａ１０１により既に記録されている画像ファイルが読み出される。記録媒体Ａ１１０は、デジタルカメラＡ１００に装着されるメモリカードやハードディスクドライブ等であっても良いし、デジタルカメラＡ１００に内蔵されたフラッシュメモリやハードディスクドライブであってもよい。デジタルカメラＡ１００は少なくとも記録媒体Ａ１１０にアクセスする手段を有していればよい。
【００２４】
無線通信部Ａ１１１は、後述するスマートフォンＢ１００などの外部装置と接続するためのインターフェースである。本実施形態のデジタルカメラＡ１００は、無線通信部Ａ１１１を介して、外部装置とデータの授受を行うことができる。例えば、画像データを、無線通信部Ａ１１１を介して外部装置に送信することができる。なお、本実施形態では、無線通信部Ａ１１１は外部装置とＩＥＥＥ８０２．１１の規格に従い、無線ＬＡＮで通信するためのインターフェースを含む。制御部Ａ１０１は、無線通信部Ａ１１１を制御することで外部装置との無線通信を実現する。なお、通信方式は無線ＬＡＮに限定されるものではなく、例えば、赤外線通信インターフェース、ＷｉｒｅｌｅｓｓＵＳＢなどの無線通信インターフェースを含むことができる。
【００２５】
この無線ＬＡＮ通信によって、デジタルカメラＡ１００は、周囲の無線アクセスポイント（以下，アクセスポイントまたはＡＰという）Ｃ１００あるいはＢ１１１と無線通信を行うことができる。さらには、デジタルカメラＡ１００はＴＣＰ／ＩＰなどの上位のプロトコルによって、アクセスポイントＣ１００あるいはＢ１１１を介して、クラウドネットワークＤ１００に接続された図示しないサーバ装置とデータを送受信することができる。
【００２６】
さらに、無線通信部Ａ１１１は、上述の機能に加え、ソフトＡＰ機能（親機モード）を有する。ソフトＡＰ機能とは、制御部Ａ１０１の制御により無線アクセスポイントとして振る舞うことができる機能である。本実施形態ではソフトＡＰ機能を有効にしてスマートフォンＢ１００の無線通信部Ｂ１１１がアクセスポイントＣ１００ではなく無線通信部Ａ１１１に接続することで、デジタルカメラＡ１００とスマートフォンＢ１００が直接無線通信を行うことができる。
【００２７】
省電力無線通信部Ａ１１２は、例えば、無線通信のためのアンテナと無線信号を処理するため変復調回路および通信コントローラを有する。省電力無線通信部Ａ１１２は、無線信号をアンテナから出力すると共に、アンテナで受信した無線信号を復調してＩＥＥＥ８０２．１５の規格（いわゆる、Ｂｌｕｅｔｏｏｔｈ（登録商標））に応じた近距離無線通信を行う。なお、通信方式は、Ｂｌｕｅｔｏｏｔｈ（登録商標）に限定されるものではなく、例えば、ＺｉｇＢｅｅ（登録商標）などの無線通信方式であってもよい。
【００２８】
本実施形態のＢｌｕｅｔｏｏｔｈ（登録商標）は、低消費電力であるが低速なＢＬＥ（Ｂｌｕｅｔｏｏｔｈ（登録商標） Ｌｏｗ Ｅｎｅｒｇｙ）と呼ばれる通信モード（低速な通信モード）を含む。また、本実施形態のＢｌｕｅｔｏｏｔｈ（登録商標）は、ＢＬＥよりも消費電力が高いが比較的高速な通信が可能なクラシックＢＴ（Ｃｌａｓｓｉｃ Ｂｌｕｅｔｏｏｔｈ（登録商標））と呼ばれる通信モード（高速な通信モード）を含む。なお、無線ＬＡＮは、上述のクラシックＢＴよりも消費電力が高くなるが、さらに高速な通信が可能である。
【００２９】
副制御部Ａ１２０は、省電力無線通信部Ａ１１２による通信とスタンバイ状態におけるデジタルカメラＡ１００の制御を司る。副制御部Ａ１２０には、その動作に必要な作業用メモリと不揮発性メモリが内蔵されており、これによって、副制御部Ａ１２０は不揮発性メモリＡ１０３および作業用メモリＡ１０４に電力が供給されないスタンバイ状態においても動作することができる。
【００３０】
また、副制御部Ａ１２０によって、デジタルカメラＡ１００がスタンバイ状態であっても、省電力無線通信部Ａ１１２を用いて、後述するスマートフォンＢ１００と通信することができる。さらに、副制御部Ａ１２０は、省電力無線通信部Ａ１１２の通信内容に応じて、電源管理部Ａ１０７を介してデジタルカメラＡ１００をスタンバイ状態から電源ＯＮ状態に復帰させることができる。
【００３１】
なお、図１（ａ）に示す各ブロックは内部バスＡ１３０によって相互に接続されている。
【００３２】
次に、図１（ｂ）を用いて、本実施形態のスマートフォンＢ１００の構成および機能について説明する。
【００３３】
本実施形態のスマートフォンＢ１００は、制御部Ｂ１０１、撮像部Ｂ１０２、不揮発性メモリＢ１０３、作業用メモリＢ１０４、操作部Ｂ１０５、表示部Ｂ１０６、電源管理部Ｂ１０７、記録媒体Ｂ１１０、無線通信部Ｂ１１１、省電力無線通信部Ｂ１１２を備える。上記各ブロックの基本的な機能はデジタルカメラＡ１００と同様であるため詳細な説明は省略し、以下では、相違する部分を中心に説明する。
【００３４】
表示部Ｂ１０６は、撮影した画像の表示、対話的な操作のための文字や図形や記号等のＧＵＩ（Ｇｒａｐｈｉｃａｌ Ｕｓｅｒ Ｉｎｔｅｒｆａｃｅ）の表示を行う。
【００３５】
公衆無線通信部Ｂ１１３は、基地局Ｅ１００を介して公衆網Ｆ１００によって通信を行うためのインターフェースである。公衆無線通信部Ｂ１１３は、無線通信のためのアンテナと無線信号を処理するため変復調回路、そして、通信コントローラを有している。本実施形態では、公衆無線通信部Ｂ１１３はＷ−ＣＤＭＡ（ＵＭＴＳ）又はＬＴＥ（Ｌｏｎｇ  Ｔｅｒｍ  Ｅｖｏｌｕｔｉｏｎ）などの規格に従って公衆無線通信を行う。
【００３６】
なお、上記の各ブロックは内部バスＢ１３０によって相互に接続されている。また、図１に示す例では、デジタルカメラＡ１００とスマートフォンＢ１００が１対１で通信する例が示されているが、デジタルカメラＡ１００は複数のスマートフォンと１対多数で通信を行うことができる。
【００３７】
＜外観およびＧＵＩ＞次に、図２を用いて、本実施形態のデジタルカメラＡ１００の外観およびＧＵＩについて説明する。
【００３８】
図２は、本実施形態のデジタルカメラＡ１００の外観構成を示す正面図（ａ）、背面図（ｂ）および底面図（ｃ）である。
【００３９】
電源ボタン２０１は、デジタルカメラＡ１００の電源をオン、オフする操作部材である。
【００４０】
シャッターボタン２０２は、静止画撮影指示および動画撮影の開始／終了指示を行う操作部材である。シャッターボタン２０２は、半押し状態と全押し状態とが検出可能な２段階押し込み式の操作部材である。ユーザは、シャッターボタン２０２を半押しすることで、ＡＦ（オートフォーカス）処理やＡＥ（自動露出）処理、ＡＷＢ（オートホワイトバランス）処理、ＥＦ（フラッシュプリ発光）処理等の撮影準備動作の開始を指示することができる。また、ユーザは、シャッターボタン２０２を全押しすることで、撮像部Ａ１０２からの信号読み出しから記録媒体Ａ１１０に画像データを書き込むまでの一連の撮影動作の開始を指示することができる。また、動画撮影モードにおいては、ユーザがシャッターボタン２０２を全押しすることで動画撮影の開始を指示することができ、もう一度全押しすることで動作撮影の終了を指示することができる。
【００４１】
ズームレバー２０３は、ユーザがこれを上下に動かすことでズームレンズのズームイン動作やズームアウト動作を指示することができる。
【００４２】
メニューボタン２０４は、ユーザがこれを押下することで後述する表示パネル２１３に機能ボタンやメニュー項目などのＧＵＩを表示することができる。
【００４３】
再生ボタン２０５は、ユーザがこれを押下することで記録媒体Ａ１１０に記録されている静止画や動画などの映像データを後述する表示パネル２１３に表示することができる。
【００４４】
削除ボタン２０６は、ユーザがこれを押下することで後述する表示パネル２１３に表示されている映像データを記録媒体Ａ１１０から削除することができる。
【００４５】
無線ボタン２０７は、ユーザがこれを押下することで後述する表示パネル２１３に表示されるＧＵＩ（図２（ｄ））をタッチして無線通信部Ａ１１１や省電力無線通信部Ａ１１２の設定を変更することができる。
【００４６】
十字キー２０８は、操作部Ａ１０５に含まれる操作部材であり、上ボタン、下ボタン、左ボタン、右ボタン、中央ボタンを含む。ユーザが十字キー２０８を操作して、後述の表示パネル２１３に表示される映像データを変更したり、メニュー項目を選択したりすることができる。
【００４７】
ファインダー窓２０９は、被写体像を光学的に写し出す光学部材であり、ユーザが後述するファインダー接眼部２１０を覗き込むことにより、撮影時の構図決定の際に被写体像を視認することができる。
【００４８】
ファインダー接眼部２１０は、ユーザがこれを覗き込むことでファインダー窓２０９に写し出される被写体像を光学的に視認することができる。
【００４９】
ストロボ２１１は、暗い条件下での撮影時に必要に応じて発光し、画像の明るさを補完する。
【００５０】
撮影レンズ２１２は、ズームレンズやフォーカスレンズを含むレンズ群、絞り機能を備えるシャッターを含む。
【００５１】
表示パネル２１３は、表示部Ａ１０６に含まれるＬＣＤ（液晶デバイス）などであり、撮影開始前には撮影範囲（構図の決定）に使用したり、操作メニューを表示したり、撮影した映像データを再生して表示する。
【００５２】
三脚固定孔２１４は三脚を取り付けるためのねじ穴である。
【００５３】
メモリ／電池蓋２１５は、メモリカードスロットやバッテリ収納部を開閉するための蓋であり、ユーザは蓋２１５を開けてメモリカードやバッテリを着脱することができる。
【００５４】
図２（ｄ）、（ｅ）は、ユーザが無線ボタン２０７を押下した場合に、デジタルカメラＡ１００の表示パネル２１３に表示されるＧＵＩである。このＧＵＩ画面では、後述するアイコン２１６〜２２３を、十字キー２０８の上下左右ボタンで選択し、中央ボタンで決定することで、アイコンに対応付けられた処理をデジタルカメラＡ１００に指示することができる。
【００５５】
アイコン２１６、２２０は、デジタルカメラＡ１００における機内モードの状態表示と機内モードのＯＮ／ＯＦＦを行うための機能ボタンである。本実施形態における機内モードとは、機器が有する無線通信機能を一括してオフにし、機器が電波を発しないモードのことをいう。一般に飛行機の中では携帯電話などの電波を発する機能は禁止されるため、機内モードと呼ばれる。機内モードの設定がＯＮの場合にはアイコン２２０のように表示され、機内モードの設定がＯＦＦの場合にはアイコン２１６のように表示される。アイコン２１６を選択すると、機内モードの設定がＯＦＦからＯＮに変更され、表示パネル２１３にはアイコン２２０が表示される。一方、アイコン２２０を選択すると、機内モードの設定がＯＮからＯＦＦに変更され、表示パネル２１３にはアイコン２１６が表示される。
【００５６】
なお、機内モードの設定がＯＮの場合には、デジタルカメラＡ１００の無線通信部Ａ１１１および省電力無線通信部Ａ１１２は全ての通信（無線電波の送受信）を停止し、電波を発しない状態となる。よって、機内モードの設定がＯＮのときには、デジタルカメラＡ１００は、無線通信部Ａ１１１および省電力無線通信部Ａ１１２によるスマートフォンＢ１００との無線通信が不可（無効）となり、機内モードの設定がＯＦＦのときには、デジタルカメラＡ１００は、無線通信部Ａ１１１および省電力無線通信部Ａ１１２によるスマートフォンＢ１００との無線通信が可能（有効）となる。
【００５７】
アイコン２１７は、デジタルカメラＡ１００に対して図示しない他のデジタルカメラとの接続を行うように指示するための機能ボタンである。
【００５８】
アイコン２１８は、デジタルカメラＡ１００に対してスマートフォンＢ１００などの外部装置と接続を行うように指示するための機能ボタンである。
【００５９】
アイコン２１９は、デジタルカメラＡ１００に対して図示しないパーソナルコンピュータなどの外部装置と接続を行うように指示するための機能ボタンである。
【００６０】
アイコン２２１〜２２３はそれぞれ、上記アイコン２１７〜２１９と対応する機能ボタンであるが、機内モードの設定がＯＮで無線通信が停止された状態のため、選択できない状態として表示されている。
【００６１】
図３は本実施形態のスマートフォンＢ１００の外観構成を示す正面図（ａ）および側面図（ｂ）である。
【００６２】
タッチパネルディスプレイ３０１は、ユーザの指やペンによるタッチ操作を検出可能なタッチパネルが付属された液晶パネルであり、タッチパネル部は操作部Ｂ１０５に含まれる操作部材であり、ディスプレイ部は表示部Ｂ１０６に含まれるブロックである。ユーザはタッチパネル部をタッチすることで、タッチパネルディスプレイ３０１に表示されるＧＵＩの操作などを行うことができる。
【００６３】
操作ボタン３０２は、操作部Ｂ１０５に含まれる操作部材であり、ユーザは操作ボタン３０２を押下することで、スマートフォンＢ１００の機能の切り替えや、表示部Ｂ１０６に表示されるＧＵＩの操作などを行うことができる。
【００６４】
ボリュームボタン３０３は、操作部Ｂ１０５に含まれる操作部材であり、ユーザはボリュームボタン３０３を押下することで、スピーカの音量を調節することができる。
【００６５】
電源ボタン３０４は、操作部Ｂ１０５に含まれる操作部材であり、ユーザは電源ボタン３０４を押下することで、スマートフォンＢ１００の電源のＯＮ／ＯＦＦなどの操作を行うことができる。
【００６６】
図４（ａ）〜（ｄ）は、スマートフォンＢ１００のタッチパネルディスプレイ３０１に表示されるＧＵＩを例示している。図示のＧＵＩ画面では、ユーザは機能ボタン４０１を操作することで、無線通信部Ｂ１１１による無線ＬＡＮ機能、省電力無線通信部Ｂ１１２によるＢｌｕｅｔｏｏｔｈ（登録商標・以下ＢＴ）および公衆無線通信部Ｂ１１３によるモバイルデータ通信機能をＯＮまたはＯＦＦに設定することができる。
【００６７】
図４（ａ）では、スマートフォンＢ１００において機内モードがＯＦＦに設定されており、無線ＬＡＮ機能、ＢＴ機能およびモバイルデータ通信機能のいずれを用いた通信も行うことができる。
【００６８】
図４（ｂ）は、図４（ａ）から機内モードをＯＮに変更した場合に表示されるＧＵＩを例示している。機内モードをＯＮにすると、無線ＬＡＮ機能４０２、ＢＴ機能４０３およびモバイルデータ通信機能４０４の設定が全てＯＦＦに変更され、これらの機能を用いた通信ができない状態となる。
【００６９】
図４（ｃ）は、図４（ｂ）においてＢＴ機能４０５の設定をＯＮに変更した場合に表示されるＧＵＩを例示している。本実施形態では、機内モードがＯＮの状態でも、通信機能を個別にＯＮにすることが可能である。図４（ｂ）は、機内モードがＯＮの状態でＢＴ機能４０５の設定をＯＮにした場合を示しており、この場合は省電力無線通信部Ｂ１１２によるＢＴ機能を用いた通信のみが可能となる。
【００７０】
図４（ｄ）は、図４（ｃ）において無線ＬＡＮ機能４０６をＯＮに変更した場合に表示されるＧＵＩを例示している。機内モードおよびＢＴ機能がＯＮの状態で無線ＬＡＮ機能４０６をＯＮにすると、無線通信部Ｂ１１１による無線ＬＡＮ機能と省電力無線通信部Ｂ１１２によるＢＴ機能を用いた通信が可能となる。
【００７１】
このように、本実施形態のスマートフォンは、一度機内モードをＯＮにして全ての無線通信機能をＯＦＦにした後に、個別に所望の通信機能をＯＮに戻すことが可能である。このような仕様にしているのは、例えば公衆回線やインターネットに接続するのは禁止だが、デバイス間でのローカルなネットワーク接続やアドホックネットワーク接続であれば、無線通信を許可する航空会社もあるからである。例えば、航空機が出発する前にまず機内モードをＯＮにし、さらに無線ＬＡＮをＯＮにすることで無線ＬＡＮのみを有効とする。この状態であれば、例えば航空機内であっても同乗の友人達とピアツーピア通信を行ったり、自身のデジタルカメラとスマートフォンとを接続することが、航空会社によっては可能となる。上記接続の例としては、無線ＬＡＮのアドホックモードでの接続、機器の一方がゲートウェイ機能を用いない無線ＬＡＮアクセスポイント（ソフトＡＰ）として動作するインフラストラクチャモードでの接続、Ｗｉ−Ｆｉ  Ｄｉｒｅｃｔ規格に従った接続、ＢＴ機能を用いた接続などが挙げられる。
【００７２】
ここで問題となるのは、スマートフォンの機内モードのＯＮに連動してデジタルカメラの機内モードもＯＮになる場合である。これは、例えばスマートフォンとデジタルカメラの設定を同期するよう予め設定しておき、スマートフォンからこれから機内モードに移行する旨をデジタルカメラに通知することで実現できる。このような設定の同期が行われる場合、スマートフォンの機内モードがＯＮになることに連動して、デジタルカメラの機内モードもＯＮになる。しかし、その後スマートフォンの無線ＬＡＮを個別にＯＮにしても、デジタルカメラは機内モードがＯＮであるため、無線ＬＡＮをＯＮにするよう通知することができない。つまり、デジタルカメラを直接操作しない限り、デジタルカメラの無線ＬＡＮをオンすることができない。これは、例えばデジタルカメラが入ったバッグを荷物入れなどに収納してしまった場合などに特に問題となる。本実施形態はかかる課題を解決すべく、以下の処理を行う。
【００７３】
＜動作説明＞次に、図５および図６を用いて、本実施形態のデジタルカメラＡ１００とスマートフォンＢ１００の動作について説明する。なお、本実施形態の動作に先立ち、デジタルカメラＡ１００の省電力無線通信部Ａ１１２とスマートフォンＢ１００の省電力無線通信部Ｂ１１２とは、相互に通信できるように設定済み（ペアリング済み）であるとする。
【００７４】
＜デジタルカメラＡ１００の動作＞まず、図５を用いて、本実施形態のスマートフォンＢ１００と通信可能なデジタルカメラＡ１００の動作を説明する。
【００７５】
なお、図５の処理は、デジタルカメラＡ１００がスタンバイ状態に移行した際に開始される。本実施形態におけるスタンバイ状態とは、副制御部Ａ１２０と省電力無線通信部Ａ１１２に電源が入った状態である。スタンバイ状態では、ＢＬＥによる通信は可能だが、その他の通信機能はスタンバイ状態から復帰しない限り使用できない。また、以下の処理は、デジタルカメラＡ１００の制御部Ａ１０１または副制御部Ａ１２０が不揮発性メモリＡ１０３から読み出した制御プログラムを作業用メモリＡ１０４に展開して実行することにより実現される。
【００７６】
Ｓ５０１では、副制御部Ａ１２０は、デジタルカメラＡ１００の機内モードの設定がＯＮであるか否かを判定し、機内モードの設定がＯＦＦの場合はＳ５０２へ進み、機内モードの設定がＯＮの場合は本フローチャートを終了する。機内モードのＯＮ／ＯＦＦは図２（ｄ）、（ｅ）のＧＵＩでユーザにより予め設定されている場合と、後述するＳ５０７において設定される場合とがある。
【００７７】
Ｓ５０２では、副制御部Ａ１２０は、省電力無線通信部Ａ１１２の状態を監視し、省電力無線通信部Ａ１１２に対してＢＬＥ接続がなされるのを待つ。省電力無線通信部Ａ１１２に対して、ＢＬＥ接続がなされるとＳ５０３へ進む。ここでは、省電力無線通信部Ａ１１２に対して、スマートフォンＢ１００の省電力無線通信部Ｂ１１２が接続されたものとする。本ステップの処理は、図６で後述するＳ６０２と対応している。
【００７８】
Ｓ５０３では、副制御部Ａ１２０は、省電力無線通信部Ａ１１２の状態を監視し、接続相手（スマートフォンＢ１００）からＢＬＥによりコマンド（処理要求）を受信するのを待つ。スマートフォンＢ１００から「機内モードＯＮ要求コマンド」を受信した場合はＳ５０４へ進み、「データ取得要求コマンド」を受信した場合はＳ５０８へ進む。後述するが、本実施形態における「機内モードＯＮ要求」は、スマートフォンＢ１００で機内モードをＯＮにする操作がなされたことに応じて、スマートフォンＢ１００から送信されるコマンドである。本ステップの処理は、図６で後述するＳ６０５およびＳ６０９に対応している。
【００７９】
Ｓ５０４では、副制御部Ａ１２０は、「機内モードＯＮ要求コマンド」を受信してからの経過時間を計測するためのタイマーをスタートする。つまり、「機内モードＯＮ要求コマンド」を受信しても即座に機内モードをＯＮにはしない。
【００８０】
Ｓ５０５では、副制御部Ａ１２０は、Ｓ５０４での計測時間が所定の時間を経過したか否かを判定する。所定の時間は、例えば１分というような予め定められた固定値でもよいし、別途ＧＵＩを用いたメニューなどによってユーザが任意に設定可能であってもよい。所定の時間が経過していない場合はＳ５０６へ進み、経過した場合はＳ５０７へ進む。
【００８１】
Ｓ５０６は、副制御部Ａ１２０は、Ｓ５０２と同様に省電力無線通信部Ａ１１２の状態を監視し、省電力無線通信部Ａ１１２に対してＢＬＥ接続がなされるのを待つ。本ステップの処理は、図６で後述するＳ６０７からＳ６０８に対応している。ここで、ＢＬＥ接続要求を検出した場合（すなわち、「機内モードＯＮ要求コマンド」を受信した後所定の時間内にＢＬＥの再接続の要求があった場合）はＳ５０３に進み、スマートフォンＡ１００からＢＬＥにより引き続き制御を行うことができる。
【００８２】
一方、Ｓ５０７では、副制御部Ａ１２０は、省電力無線通信部Ａ１１２による通信を終了し、機内モードをＯＮにする。つまり、「機内モードＯＮ要求コマンド」を受信した後所定の時間内にＢＬＥの再接続の要求がなかった場合は、デジタルカメラＡ１００はＢＬＥをオフにし、電波を発しない動作状態（機内モード）に移行することになる。
【００８３】
Ｓ５０８では、副制御部Ａ１２０は、デジタルカメラＡ１００の電源をＯＮにし、その後の制御を制御部Ａ１０１で行うように動作する。
【００８４】
Ｓ５０９では、制御部Ａ１０１は、Ｓ５０３で受信した「データ取得要求コマンド」において、要求されているデータの種類を判定する。サムネイルデータが要求されている場合にはＳ５１０へ進み、画像データが要求されている場合にはＳ５１１へ進む。
【００８５】
Ｓ５１０では、制御部Ａ１０１は、省電力無線通信部Ａ１１２を制御して、スマートフォンＢ１００に対して、以後の通信をクラシックＢＴで行うこと（クラシックＢＴハンドオーバー）を通知する。
【００８６】
Ｓ５１１では、制御部Ａ１０１は、省電力無線通信部Ａ１１２の動作モードをＢＬＥからクラシックＢＴに変更する。そして、スマートフォンＡ１００からサムネイルデータを要求されると、制御部Ａ１０１は、要求されたサムネイルデータを記録媒体Ａ１１０から読み出し、省電力無線通信部Ａ１１２によりスマートフォンＢ１００へ送信する。なお、Ｓ５１０からＳ５１１は、図６で後述するＳ６１０およびＳ６１２に対応している。
【００８７】
Ｓ５１２では、制御部Ａ１０１は、要求された全てのデータの送信が完了すると、省電力無線通信部Ａ１１２の通信モードをＢＬＥに変更し、デジタルカメラＡ１００の制御を副制御部Ａ１２０で行うように動作することで、スタンバイ状態に移行する。
【００８８】
一方、Ｓ５０９での判定の結果、要求されているデータが画像データである場合は、Ｓ５１３において、制御部Ａ１０１は、省電力無線通信部Ａ１１２によりスマートフォンＢ１００のネットワーク設定状態を取得する。ネットワーク設定は、図４（ａ）〜（ｄ）で説明したスマートフォンＢ１００のＧＵＩで設定された状態である。なお、Ｓ５１３は、図６で後述するＳ６１０およびＳ６１１に対応している。
【００８９】
Ｓ５１４では、制御部Ａ１０１は、Ｓ５１３で取得したスマートフォンＢ１００のネットワーク設定状態に応じて、Ｓ５１５、Ｓ５２０、Ｓ５２５のいずれかに進む。
【００９０】
Ｓ５１５からＳ５１９は、Ｓ５１３で取得したスマートフォンＢ１００のネットワーク設定が「機内モードＯＦＦ」であった場合（図４（ａ））の処理である。
【００９１】
Ｓ５１５では、制御部Ａ１０１は、省電力無線通信部Ａ１１２によりスマートフォンＢ１００に対して、以後の通信を無線ＬＡＮで行うこと（無線ＬＡＮハンドオーバー）を通知する。この場合に、後述するＳ５１６において有効にするソフトＡＰ機能に接続するためのＳＳＩＤとパスワードも同時に通知する。
【００９２】
Ｓ５１６では、制御部Ａ１０１は、無線通信部Ａ１１１のソフトＡＰ機能を有効にして、スマートフォンＢ１００の無線通信部Ｂ１１１が無線通信部Ａ１１１に直接接続可能な状態とする。
【００９３】
Ｓ５１７では、制御部Ａ１０１は、無線通信部Ａ１１１の状態を監視し、スマートフォンＢ１００の無線通信部Ｂ１１１が無線通信部Ａ１１１に接続されるのを待つ。
【００９４】
Ｓ５１８では、制御部Ａ１０１は、要求された画像データを記録媒体Ａ１１０から読み出し、無線通信部Ａ１１１によりスマートフォンＢ１００へ送信する。
【００９５】
Ｓ５１９では、制御部Ａ１０１は、要求された画像データの送信が終了すると、無線通信部Ａ１１１のソフトＡＰモードを停止し、また、無線通信部Ａ１１１の機能自体を停止させる。その後、デジタルカメラＡ１００は、Ｓ５１２でスタンバイ状態に移行した後、Ｓ５０３で次のコマンドの待機状態となる。なお、Ｓ５１５からＳ５１９は、図６で後述するＳ６１０およびＳ６１３からＳ６１５に対応している。
【００９６】
Ｓ５２０からＳ５２４は、Ｓ５１３で取得したスマートフォンのネットワーク設定が「機内モードＯＮ」であるが、「無線ＬＡＮ」及び「ＢＴ」が利用可能であった場合（図４（ｄ））の処理である。
【００９７】
Ｓ５２０からＳ５２４の処理はそれぞれ、Ｓ５１５からＳ５１９と同じである。すなわち、無線通信部Ａ１１１のソフトＡＰモードを有効にすることで、要求された画像データを無線通信部Ａ１１１からスマートフォンＢ１００に送信する。
【００９８】
Ｓ５２５からＳ５２６は、Ｓ５１４で取得したスマートフォンのネットワーク設定が「機内モードＯＮ」であるが、「ＢＴ」のみが利用可能であった場合（図４（ｃ））の処理である。
【００９９】
Ｓ５２５では、制御部Ａ１０１は、省電力無線通信部Ａ１１２によりスマートフォンＢ１００に対して、以後の通信をクラシックＢＴで行うこと（クラシックＢＴハンドオーバー）を通知する。
【０１００】
Ｓ５２６では、制御部Ａ１０１は、省電力無線通信部Ａ１１２の動作モードをＢＬＥからクラシックＢＴに変更する。そして、スマートフォンＡ１００から画像データを要求されると、制御部Ａ１０１は、要求された画像データを記録媒体Ａ１１０から読み出し、省電力無線通信部Ａ１１２によりスマートフォンＢ１００へ送信する。その後、デジタルカメラＡ１００は、Ｓ５１２でスタンバイ状態に移行した後、Ｓ５０３で次のコマンドの待機状態となる。なお、Ｓ５２５からＳ５２６は、図６で後述するＳ６１０およびＳ６１２に対応している。
【０１０１】
以上のようにして、本実施形態のデジタルカメラＡ１００はスマートフォンＢ１００との通信が制御される。
【０１０２】
＜スマートフォンＢ１００の動作＞次に、図６を用いて、本実施形態のデジタルカメラＡ１００と通信可能なスマートフォンＢ１００の動作を説明する。
【０１０３】
なお、図６の処理は、ユーザ操作によりデジタルカメラＡ１００とのＢＬＥ接続要求を受けると開始される。また、以下の処理は、スマートフォンＢ１００の制御部Ｂ１０１が不揮発性メモリＢ１０３から読み出した制御プログラムを作業用メモリＢ１０４に展開して実行することにより実現される。
【０１０４】
Ｓ６０１では、制御部Ｂ１０１は、デジタルカメラＡ１００からＢＬＥ接続要求を受信するのを待つ。具体的には、制御部Ｂ１０１は、図７（ａ）に示すＧＵＩを表示部Ｂ１０６に表示し、操作部Ｂ１０５によりカメラアイコン７０１がタップされたことを検出すると、デジタルカメラＡ１００とのＢＬＥ接続要求があったと判定する。
【０１０５】
Ｓ６０２では、制御部Ｂ１０１は、省電力無線通信部Ｂ１１２によりデジタルカメラＡ１００に対してＢＬＥ接続要求を送信する。本ステップの処理は図５のＳ５０２と対応している。
【０１０６】
Ｓ６０３では、制御部Ｂ１０１は、Ｓ６０２で開始したＢＬＥ接続要求に従い、省電力無線通信部Ｂ１１２とデジタルカメラＡ１００の省電力無線通信部Ａ１１２との間でＢＬＥ接続が確立するのを待つ。ＢＬＥ接続が確立すると、制御部Ｂ１０１は表示部Ｂ１０６のカメラアイコン７０２を図７（ｂ）のＧＵＩのように更新し、デジタルカメラＡ１００との接続が確立していることをユーザに通知する。
【０１０７】
Ｓ６０４では、制御部Ｂ１０１は、操作部Ｂ１０５の操作状態を監視し、ユーザ操作を待つ。Ｓ６０４において、機内モードＯＮの操作（図４（ａ）のＧＵＩで機内モードをＯＮに変更した場合）を検出した場合はＳ６０５へ進み、デジタルカメラＡ１００からのデータ取得を要求する操作を検出した場合はＳ６０９へ進む。ここで、デジタルカメラＡ１００からデータ取得を要求する操作とは、図７（ｂ）のＧＵＩでカメラアイコン７０２を選択し、図７（ｃ）に示すサムネイル一覧画面に移行する場合と、サムネイル一覧画面で１つ以上のサムネイルを選択（図７（ｄ）の７０３）し、ダウンロードアイコン７０４を選択した場合である。
【０１０８】
Ｓ６０５からＳ６０９は、Ｓ６０４において機内モードをＯＮにする操作を検出した場合の処理である。
【０１０９】
Ｓ６０５では、制御部Ｂ１０１は、スマートフォンＢ１００に連動してデジタルカメラＡ１００を機内モードＯＮにするために、省電力無線通信部Ｂ１１２により「機内モードＯＮ要求コマンド」をデジタルカメラＡ１００に通知する。本ステップの処理は、図５のＳ５０３において「機内モードＯＮ要求コマンド」を受信した場合に対応している。
【０１１０】
Ｓ６０６では、制御部Ｂ１０１は、操作部Ｂ１０５の状態を監視し、再びユーザ操作を待つ。Ｓ６０６にて機内モードＯＦＦの操作を検出した（図４（ｂ）のＧＵＩで機内モードＯＦＦに変更した）場合、および、機内モードＯＮの状態でＢＴ機能をＯＮにする操作を検出した（図４（ｂ）、（ｃ）のＧＵＩでＢＴ機能ＯＮにした）場合はＳ６０７へ進む。
【０１１１】
Ｓ６０７では、制御部Ｂ１０１は、省電力無線通信部Ｂ１１２によりデジタルカメラＡ１００に対してＢＬＥの再接続を要求する。
【０１１２】
Ｓ６０８では、制御部Ｂ１０１は、Ｓ６０７でのＢＬＥ接続要求に従い、省電力無線通信部Ｂ１１２とデジタルカメラＡ１００の省電力無線通信部Ａ１１２との間でＢＬＥ接続が確立するのを待つ。所定時間内に接続が確立した場合はＳ６０４に戻り、次のユーザ操作を待ち、接続が確立しなかった場合はＳ６０１に戻り、ユーザから明示的にデジタルカメラＡ１００への接続要求がなされるのを待つ。Ｓ６０７からＳ６０８は、図５のＳ５０６に対応している。図５のＳ５０５においてタイムアウトと判定される前に、ユーザ操作によって「機内モードＯＦＦ」あるいは「ＢＴＯＮ」の操作がなされた場合は、ユーザの明示的な接続要求を待たずにデジタルカメラＡ１００とのＢＬＥ接続が回復することになる。
【０１１３】
Ｓ６０９からＳ６１５は、Ｓ６０４においてデジタルカメラＡ１００からデータ取得を要求する操作を検出した場合の処理である。
【０１１４】
Ｓ６０９では、制御部Ｂ１０１は、省電力無線通信部Ｂ１１２によりデジタルカメラＡ１００に対して「データ取得要求コマンド」を通知する。ここで、制御部Ｂ１０１は、取得するデータの種別（「サムネイルデータ」あるいは「画像データ」）も合わせて通知する。本ステップの処理は、図５のＳ５０３において「データ取得要求コマンド」を受信した場合に対応している。
【０１１５】
Ｓ６１０では、制御部Ｂ１０１は、省電力無線通信部Ｂ１１２を監視し、デジタルカメラＡ１００からの要求を待つ。Ｓ６１０において受信する要求は、図５のＳ５１０、Ｓ５１３、Ｓ５１５、Ｓ５２０、Ｓ５２５で通知されるもののいずれかである。Ｓ６１０でネットワーク設定取得要求を受信した場合はＳ６１１へ進み、クラシックＢＴハンドオーバー要求を受信した場合はＳ６１２へ進み、無線ＬＡＮハンドオーバー要求を受信した場合はＳ６１３へ進む。
【０１１６】
Ｓ６１１は、Ｓ６１０においてネットワーク設定取得要求を受信した場合の処理である。
【０１１７】
Ｓ６１１では、制御部Ｂ１０１は、図４（ａ）〜（ｄ）で説明したスマートフォンＢ１００のネットワーク設定状態を、省電力無線通信部Ｂ１１２によりデジタルカメラＡ１００に通知し、Ｓ６１０に戻る。
【０１１８】
Ｓ６１２は、Ｓ６１０においてクラシックＢＴハンドオーバー要求を受信した場合の処理である。
【０１１９】
Ｓ６１２では、制御部Ｂ１０１は、省電力無線通信部Ｂ１１２の動作モードをＢＬＥからクラシックＢＴに変更する。そして、表示部Ｂ１０６のＧＵＩ表示と操作部Ｂ１０５での操作内容に従い、デジタルカメラＡ１００に対してサムネイルデータあるいは画像データを要求する。省電力無線通信部Ｂ１１２が受信したデータは作業用メモリＢ１０４（サムネイルデータを受信した場合）あるいは記録媒体Ｂ１１０（画像データを受信した場合）に保存される。本ステップの処理は、図５のＳ５１１およびＳ５２６に対応している。
【０１２０】
Ｓ６１２でクラシックＢＴを用いたデータ受信が終了すると、Ｓ６０４に戻り、次のユーザ操作の待機状態となる。
【０１２１】
Ｓ６１３からＳ６１５は、Ｓ６１０において無線ＬＡＮハンドオーバー要求を受信した場合の処理である。
【０１２２】
Ｓ６１３では、制御部Ｂ１０１は、無線ＬＡＮハンドオーバー要求と合わせて通知されたＳＳＩＤとパスワードを用いて無線通信部Ｂ１１１がデジタルカメラＡ１００の無線通信部Ａ１１１に接続するように設定を変更する。Ｓ６１３で無線ＬＡＮの接続が確立するとＳ６１４に進む。
【０１２３】
Ｓ６１４では、制御部Ｂ１０１は、表示部Ｂ１０６のＧＵＩ表示と操作部Ｂ１０５の操作内容に従い、デジタルカメラＡ１００に対して画像データを要求する。無線通信部Ｂ１１１が受信した画像データは記録媒体Ｂ１１０に保存される。本ステップの処理は、図５のＳ５１８およびＳ５２３に対応している。
【０１２４】
Ｓ６１５では、制御部Ｂ１０１は、無線通信部Ｂ１１１を無効にし、無線ＬＡＮ接続を終了する。
【０１２５】
Ｓ６１３からＳ６１５で無線ＬＡＮを用いたデータ受信が終了すると、制御部Ｂ１０１は、Ｓ６０４に戻り、次のユーザ操作を待つ。
【０１２６】
以上説明したように、本実施形態によれば、デジタルカメラＡ１００とスマートフォンＢ１００がＢＬＥ接続中において、スマートフォンＢ１００の機内モードがＯＮに設定された後、所定の時間内にスマートフォンＢ１００から再接続要求を受けた場合はデジタルカメラＡ１００とスマートフォンＢ１００間のＢＬＥ接続が維持される。
【０１２７】
これにより、ＢＬＥ接続中のスマートフォンＢ１００とデジタルカメラＡ１００を航空機内に持ち込み、スマートフォンＢ１００の機内モードがＯＮに設定された場合であっても、ユーザがスマートフォンＢ１００を操作し航空機内で許可されている通信機能をＯＮに設定することで、デジタルカメラＡ１００に対してユーザが改めて設定操作を行うことなく、スマートフォンＢ１００とデジタルカメラＡ１００との間の無線通信が継続して利用できるようになる。
【０１２８】
なお、本実施形態ではＢＬＥ接続中に機内モードがＯＮに設定された場合の動作を説明したが、無線ＬＡＮ接続中に機内モードＯＮに変更された場合であっても同様に適用可能である。
【０１２９】
また、本実施形態のデジタルカメラＡ１００は、スマートフォンのように公衆回線などに接続する機能を有していなかったが、例えば２台目のスマートフォンやタブレットデバイスのように、公衆回線などに接続する機能を有しているものがデジタルカメラＡ１００の代わりに通信相手となるケースも考えられる。このケースでは、図５のＳ５０３で「機内モードＯＮ要求コマンド」を受信した場合に、ＢＴ以外の通信機能をオフする処理を実行すればよい。
【０１３０】
また、本実施形態のデジタルカメラＡ１００はＢＬＥを有効にした状態で所定時間ＢＬＥの接続要求を待機する（図５・Ｓ５０６）こととしたが、無線ＬＡＮを有効にした状態で無線ＬＡＮの接続要求を待機してもよい。
【０１３１】
また、本実施形態のデジタルカメラＡ１００は、所定時間接続要求を待機することとしたが、必ずしも接続要求の受信を条件とする必要はない。例えばスマートフォンＢ１００は、図６のＳ６０６で無線ＬＡＮまたはＢＴをＯＮにする操作が行われた場合、その旨をデジタルカメラＡ１００に通知するようにしてもよい。このような通知を行えば、デジタルカメラＡ１００はＳ５０６でその通知を受信し、スマートフォンＢ１００側でＯＮされた通信機能をＯＦＦしないよう制御できる。
【０１３２】
上述した変形例に限らず、本発明は種々の変形例に適用可能である。例えばスマートフォンＢ１００側で機内モードがＯＮされた場合であってもデジタルカメラＡ１００側で即座に追従するのではなく、所定の期間はスマートフォンＢ１００側での設定変更を受信可能な期間を設ける形態であれば、本発明は適用可能である。
【０１３３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１３４】
Ａ１００…デジタルカメラ（通信装置）、Ａ１０１…制御部、Ａ１１１…無線通信部、Ａ１１２…省電力無線通信部、Ａ１２０…副制御部、Ｂ１００…スマートフォン（外部装置）、Ｂ１０１…制御部、Ｂ１１１…無線通信部、Ｂ１１２…省電力無線通信部
【図１】
2018098681.tif 000003
【図２】
2018098681.tif 000004
【図３】
2018098681.tif 000005
【図４】
2018098681.tif 000006
【図５】
2018098681.tif 000007
【図６】
2018098681.tif 000008
【図７】
2018098681.tif 000009